(57)【要約】【課題】温水器を据え付け固定するためのコンクリート基礎板を使用した温水器用基礎の耐震性を向上させるとともに、コンクリート製基礎板を複数のブロックに分割することなく軽量化して設置作業の効率化を図ることができる電気温水器用基礎構造を提供する。【解決手段】鉄筋コンクリート製の下板の上に、鉄筋コンクリート製の上板が重ね合わせられてボルトで連結され、上板２の上面に温水器１２が固定されるコンクリート基礎板を備え、下板の中央部及び上板の中央部には重ね合わせにより上下に開口してモルタルが充填されるモルタル充填用開口部が設けられ、モルタル充填用開口部内の下方の地中に打ち込まれた地中アンカーの上端部が前記モルタル充填用開口内において鉄筋に結合され、さらにモルタルが充填されてコンクリート基礎板に固定されている温水器用基礎構造。【選択図】図５
2011043027.tif 000002
【特許請求の範囲】
【請求項１】
鉄筋コンクリート製の板の上面に機器が固定されるコンクリート基礎板を備え、板下方の地中に打ち込まれた耐地力を確保した地中アンカーに固定されていることを特徴とする機器用基礎構造。
【請求項２】
前記板に機器を固定する方法として板の上面には、機器の荷重を支える板圧の薄い部分と、機器の脚部を固定する脚部固定アンカーを固定する脚部固定部とが形成され、脚部固定部が脚部固定アンカーを打ち込んで固定できる板圧の厚い凸状に形成されていることを特徴とする機器用基礎構造。
【発明の詳細な説明】
【技術分野】
【０００１】
本発明は、機器を据え付け固定するためのコンクリート基礎板を用いた機器用基礎構造に関する。
【背景技術】
【０００２】
戸建て住宅で温水器を地上に設置する場合、温水器が地震や地盤沈下等によって転倒することを防止するため、温水器を設置する基礎として使用する、下板に上板を重ねて固定したコンクリート基礎板が提案されている（特許文献１、２参照）。
【０００３】
前記特許文献１のコンクリート基礎板は、２分割された左ブロックと右ブロックとからなる上部プレハブブロックと、２分割された前ブロックと後ブロックからなる下プレハブブロックを互いの接合面が直交する方向に積み重ね、上下部のプレハブブロックをボルトで接合一体化してなるものである。
【０００４】
また、前記特許文献２のコンクリート基礎板は、１枚のプレハブコンクリートブロックからなる底板の上に、３分割されて互いに突合せ接合される第１，２，３のプレハブコンクリートブロックからなる上板を重ね合わせ、第１，２，３の各プレハブコンクリートブロックを底板にボルトで連結してなり、底板と上板の中央部に円形開口部を設けており、第１、第２、第３の各プレハブコンクリートブロックの突合せ接合面を傾斜面に形成したものである。
【先行技術文献】
【特許文献】
【０００５】
【特許文献１】特開平１１−０５０４７０号公報
【特許文献２】実用新案登録第３１３２８８０号明細書
【発明の概要】
【発明が解決しようとする課題】
【０００６】
戸建て住宅に設置する機器として電気温水器基礎に関しては、「建築設備耐震設計・施工指針（日本建築センター発行）」に規定される０．４Ｇの水平静荷重を満足する既製基礎板が普及しているが、「電気温水器耐震性強化委員会」の推奨する水平方向の静荷重１Ｇ以上を満足する耐震性を有する既製基礎板がなかった。そのため、温水器の転倒防止のため、住宅側壁と温水器を金具類で固定しなければ、耐震性能を確保できなかった。
【０００７】
前記特許文献１のコンクリート基礎板は、軽量化のために４分割されたブロックで形成されるが、０．４Ｇの耐震性を持たせるためある程度の総重量を確保しなければならい欠点があった。
【０００８】
そこで、本発明は、電気温水器をはじめとする各種機器を据え付け固定するためのコンクリート基礎板を使用した機器用基礎の耐震性を向上させるとともに、コンクリート製基礎板を軽量化して設置作業の効率化を図ることができる機器用基礎構造を提供するものである。
【課題を解決するための手段】
【０００９】
請求項１の機器用基礎構造は、鉄筋コンクリート製板下方の地中に打ち込まれた耐地力を確保した地中アンカーの上端部とコンクリート基礎板を固定することで地震時の機器転倒を防止することを特徴とする。
【００１０】
請求項２の機器用基礎構造は、上板の上面には、機器の荷重を支える板圧の薄い部分と、機器の脚部を固定する脚部固定アンカーを固定する脚部固定部が形成され、脚部固定部が脚部固定アンカーを打ち込んで固定できる板圧の厚い凸状に形成されていることで、板を軽量化できることを特徴とする。
【発明の効果】
【００１１】
本発明は、コンクリート基礎板が耐地力を確保した地中アンカーにより固定されているので軽量な基礎板でも機器の転倒を防止し、耐震性が向上する。また、機器脚部固定部を除く部分のコンクリート板圧を薄くすることで、基礎板重量を軽量化できる。
【００１２】
本発明は、基礎板の総重量が軽量化されて作業員によって持ち運びできるので、基礎板の運搬作業が容易になる。
【図面の簡単な説明】
【００１３】
【図１】本発明の温水器用基礎構造に使用するコンクリート基礎板の斜視図である。
【図２】図１に示すコンクリート基礎板の分解斜視図である。
【図３】本発明の温水器用基礎構造の施工手順を示す図である。
【図４】図３に次ぐ施工手順を示す図である。
【図５】図４に次ぐ施工手順を示す図である。
【発明を実施するための形態】
【００１４】
本発明の温水器用基礎構造の実施例を、図面を参照しながら説明する。
【００１５】
図１及び図２において、電気温水器用基礎構造に使用するコンクリート基礎板は、矩形の下板１と、この下板１の上に重ね合わせる上板２で構成される。
【００１６】
下板１は、表面が平らな鉄筋コンクリート製板であり、その中央に地中アンカー３（図３）の上端を固定するためにモルタルが充填される上下に開口したモルタル充填用開口４が形成されている。
【００１７】
モルタル充填用開口４の縁回りには対向する側にそれぞれ地中アンカー３の上端を係止する差し筋５（図４）を支持する差し筋用溝６が形成される。この差し筋用溝６は、下板１と上板２を面接触させるので、差し筋５が下板１の表面から出ない深さとする。下板１の３個所には、下板１と上板２を結合するためのボルトを螺合させるボルト孔７が形成されている。
【００１８】
上板２は、下板１と同様に、鉄筋コンクリート製板であり、下板の上に重ねた時に一致する面積にする。上板２の中央には下板１と同様に、下板１のモルタル充填用開口４に一致する位置に上下に貫通したモルタル充填用開口８が形成されている。
【００１９】
上板２は下板１と面接触する下面が平らで、電気温水器１２（図５）が固定される上面には、下板１と上板２を連結するボルトを通すボルト孔９が形成されている三個所の下板・上板連結部１０と、温水器１２の脚部１３（図５）を固定する脚部固定アンカー１４（図５）を固定する三個所の脚部固定部１１とが交互に形成されている。脚部固定部１１は脚部固定アンカー１４（図５）の打ち込みを深くすることにより脚部１３の据え付け部分の耐震性が得られる厚さとするので、下板・上板連結部１０より厚くなる。
【００２０】
コンクリート基礎板の寸法は、設置する温水器等の設置物の大きさにもよるが、例えば、下板１の寸法は、縦約６８０ｍｍ、横約７８０ｍｍ、厚さ約４０ｍｍ、上板２の寸法は、下板１と同じく縦約６８０ｍｍ、横約７８０ｍｍで、温水器１２が固定される脚部固定部１１の厚さが約８０ｍｍ、ボルト孔９が形成されている下板・上板連結部１０が下板１と同じく約４０ｍｍである。下板１及び上板２の重さは、例えば、二人の作業員で持ち運びができる重さ以下とし、例えば、約７０ｋｇ以下にする。
【００２１】
地中アンカー３には、地上からの引張り力に耐える地耐力の大きいものを選択する。一例として、上端部に差し筋を通すリング１６が設けられ、図３に示すように下端に地中で外方に拡がる２枚の抵抗板１７を備えた公知のステーアンカー（特開２００１−１５２４５１号公報参照）が使用でき、例えば市販されている公知のミニテーアンカー（日本地工製）を使用することができる。
【００２２】
次ぎに、本発明による基礎構造の施工手順について説明する。
【００２３】
図３（ａ）において、温水器を設置する場所に、深さ約１００ｍｍ、縦約９００ｍｍ×横約９００ｍｍの穴１５を掘削した後、地中アンカー３としてミニテーアンカーを穴１５の中央に打ち込む。ミニテーアンカー３の上端部のリング１６が地表面と一致する高さまで打ち込み後、地中の２枚の抵抗板１７を外方に拡げる。
【００２４】
図３（ｂ）において、地中アンカー３の打ち込み完了後、穴１５に割栗石１８を敷き詰めた後、敷きモルタル１９を敷く。敷きモルタル１９は、地表面より下がった、ミニテーアンカー３の上端部のリング１６が隠れないように敷く。
【００２５】
図３（ｃ）において、水平器で敷きモルタル１９が水平であることを確認した後、下板１と上板２を重ねた際に、モルタル充填用開口４，８の下方の敷きモルタル１９の部分にミニテーアンカー３を中心に縦約３００ｍｍ、横約３００ｍｍ、深さ約５０ｍｍ掘削して、モルタルを流し込む穴２０を形成する。
【００２６】
図４（ｄ）において、穴１５の掘削完了後、穴１５の中に下板１を、敷きモルタル１９と隙間やがたつきがないように設置する。
【００２７】
図４（ｅ）、（ｆ）において、下板１の差し筋用溝６内にミニテーアンカー３のリング１６に通した差し筋５を入れて支持する。次いで、差し筋５に直交して複数の鉄筋２１を針金で固定する。
【００２８】
次いで、下板１の上に上板２を重ねた後、下板１と上板２のボルト孔７，９（図２）にボルトを螺合させて下板１と上板２を固定する。
【００２９】
下板１と上板２との固定が完了した後、モルタル充填用開口４，８、敷きモルタル１９の穴２０にモルタル２２を充填してミニテーアンカー３を固着する。
【００３０】
図５（ｇ）において、ミニテーアンカー３を固着後、上板２の脚部固定部１１の脚部固定アンカー１４を打ち込む位置にコンクリートドリルで孔２３を開け、この孔２３に脚部固定アンカー１４を打ち込んで固定する。
【００３１】
図５（ｈ）において、打ち込まれた脚部固アンカー１４を温水器１２の脚部１３の孔に挿入し、脚部固定アンカー１４のネジにナットを螺合して固定する。
【００３２】
こうして施工された基礎構造について４６０Ｌ温水器の満水時（総重量５７０ｋｇ）に作用する地震力を想定して試験した結果、水平方向の靜荷重５．５９ｋＮで約４度傾斜したが、異常はなかった。また、荷重６．６６ｋＮでは、コンクリート基礎板にひび割れが生じ、上板と下板とが離間したが、転倒はなかった。
【符号の説明】
【００３３】
１：下板            ２：上板
３：地中アンカー    ４：モルタル充填用開口
５：差し筋          ６：差し筋用溝
７：ボルト孔        ８：モルタル充填用開口
９：ボルト孔      １０：下板・上板連結部
１１：脚部固定部    １２：温水器
１３：脚部          １４：脚部固定アンカー
１５：穴            １６：リング
１７：抵抗板        １８：割栗石
１９：敷きモルタル  ２０：穴
２１：鉄筋          ２２：モルタル
２３：孔
【図１】
2011043027.tif 000003
【図２】
2011043027.tif 000004
【図３】
2011043027.tif 000005
【図４】
2011043027.tif 000006
【図５】
2011043027.tif 000007